(57)【要約】      （修正有）【課題】リサイクルできて、霧状の散水が得られるとともに、管内の水がサイレンサーとなって爆発音では無く、騒音被害を出すことのないガス爆発式散水機を提供する。【解決手段】爆音機を構成する耐圧容器１３と、耐圧容器１３に可燃ガスを供給するガスボンベ１５と、着火プラグ１４の着火の時期と、ガスボンベ１５からの耐圧容器１３への可燃ガスの供給の時期とを調整するタイマ１６とを備え、かつ、耐圧容器１３の下部に取り付けた用水を貯留させるためのＵ字管２１と、Ｕ字管２１の他端に取り付けた噴出ノズル２２と、Ｕ字管２１に給水管２４を介して付設した、給水ポンプ２５を内蔵した貯水タンク２３とを有し、Ｕ字管２１に給水して用水を貯留させた状態で、耐圧容器１３に充満させた可燃ガスに着火して圧縮ガスを発生させ、耐圧容器１３から発生した圧縮ガスをＵ字管２１内の用水とともに噴出ノズル２２から放出させる。【選択図】図１
0003221468.tif 000002
【実用新案登録請求の範囲】
【請求項１】
耐圧容器の適所に着火プラグが付設されていて可燃ガスを爆発させる圧縮ガス発生手段と、
前記耐圧容器に可燃ガスを供給するガスボンベと、
前記着火プラグの着火の時期と、前記ガスボンベからの耐圧容器への可燃ガスの供給の時期とを調整するタイマとを備えるとともに、
一端を前記耐圧容器の下部に取り付けた用水を貯留させるためのＵ字管と、
前記Ｕ字管の他端に取り付けた噴出ノズルと、
前記Ｕ字管に給水管を介して付設した、給水ポンプを内蔵した貯水タンクとを有し、
前記Ｕ字管に給水して用水を貯留させた状態で、前記耐圧容器に充満させた可燃ガスに着火して圧縮ガスを発生させることにより、前記耐圧容器から発生した圧縮ガスを前記Ｕ字管内の用水とともに前記噴出ノズルから放出させるようにしたことを特徴とするガス爆発式散水機。
【請求項２】
前記噴出ノズルは、前記Ｕ字管の他端に蛇腹管を介して取り付けられていることを特徴とする請求項１に記載のガス爆発式散水機。
【請求項３】
前記噴出ノズルは、放出口に取り付けた放出口調整手段により、種々の散水形状を得られるようにしたことを特徴とする請求項１または２に記載のガス爆発式散水機。
【請求項４】
前記タイマもしくは給水ポンプは、ソーラー発電機により給電されて駆動可能となっていることを特徴とする請求項１ないし３のいずれかに記載のガス爆発式散水機。
【請求項５】
前記耐圧容器の適所に着火プラグが付設されていて可燃ガスを爆発させる圧縮ガス発生手段と、
前記耐圧容器に可燃ガスを供給するガスボンベと、
前記着火プラグの着火の時期と、前記ガスボンベからの耐圧容器への可燃ガスの供給の時期とを調整するタイマを構成する部材として、既存の爆音機をリサイクル利用するようにしたことを特徴とする請求項１ないし４のいずれかに記載のガス爆発式散水機。
【考案の詳細な説明】
【技術分野】
【０００１】
本考案は、農業分野で使用されている爆音機の原理を応用したガス爆発式散水機に関するものである。
【背景技術】
【０００２】
山梨県は果樹や稲作といった農業が盛んであり、本考案者の住まいの周りや通勤途上においてみられる畑や田んぼのある風景は普通のものである。
このような農業地域においては、夏から秋にかけて鳥獣対策として爆音機という機械を使用しており、地元民にはなじみの機械であるが、昨今その騒音から周辺住民の苦情の種になりつつあり、農家の悩みのもととなっていることも事実である。
【０００３】
１）爆音機の現状
鳥獣による農作物被害は年々増加傾向にあり、農家にとって非常に深刻な状況となっている。この有害鳥獣対策としては、様々な技術が利用されているが、特に田んぼでは取扱いの容易な「爆音機」を使用している農家も多くみられる。
しかし、農村地域でも宅地化が進んでおり、住人の側から爆音機の発する爆発音に対しての苦情が寄せられており、爆音機を設置している農家には良好な生活環境及び農業生産活動を両立させるために、以下のような注意事項を守ることが近年では求められている。
２）遵守事項
・鳥獣対策のための爆音機については、代替技術を利用し、その使用を見合わせる。
・やむを得ず使用する場合には、地域住民への騒音による迷惑を十分考慮し以下の点に注意する。
（１）各地域において、最小限必要とする期間に使用する。
（２）早朝、夜間は使用しない（日没事後一時間から日の出時前一時間までは使用しない）。
（３）直近の住宅の敷地境界において、７０デシベルを超えないようにする。
（４）できる限り、爆音機の間隔を空けて設定する。
※前記遵守事項は、山梨県のガイドラインから転記
【０００４】
前記爆音機の仕組みは、図２に示すように、ボンベ１０１からＬＰガスを耐圧性の管１０２に少量溜めておき、乾電池で着火プラグ１０３を着火させて管１０２の中で爆発させて破裂音を出すものである。１０４は乾電池を内蔵したタイマ、１０５は爆音の放出管である。
この時ガスの量や発火時間を調整し音やタイミングを変えている。本考案者はこの仕組みを利用し、爆発による力を使って水を押し出すことによって霧状の散水に使えないかと考えた。
そこで本考案者が試作機を作って実験を行った結果、爆発によって水を押し出すことにより霧状の散水が得られるとともに、管に入っている水がサイレンサーの役割となり、これまでの甲高い爆発音では無く、こもったようなソフトな感じの音となることが見出された。
【先行技術文献】
【特許文献】
【０００５】
【特許文献１】特になし
【考案の概要】
【考案が解決しようとする課題】
【０００６】
本考案は、従来の爆音機がその使用価値を失って放置されている事態を改善（リサイクル）でき、しかも爆発によって水を押し出すことにより霧状の散水が得られるとともに、管に入っている水がサイレンサーの役割となり、これまでの甲高い爆発音では無く、こもったようなソフトな感じの音とすることができる騒音被害を出すことのないガス爆発式散水機を提供しようとするものである。
【課題を解決するための手段】
【０００７】
すなわち本考案のガス爆発式散水機は、
耐圧容器の適所に着火プラグが付設されていて可燃ガスを爆発させる圧縮ガス発生手段と、
前記耐圧容器に可燃ガスを供給するガスボンベと、
前記着火プラグの着火の時期と、前記ガスボンベからの耐圧容器への可燃ガスの供給の時期とを調整するタイマとを備えるとともに、
一端を前記耐圧容器の下部に取り付けた用水を貯留させるためのＵ字管と、
前記Ｕ字管の他端に取り付けた噴出ノズルと、
前記Ｕ字管に給水管を介して付設した、給水ポンプを内蔵した貯水タンクとを有し、
前記Ｕ字管に給水して用水を貯留させた状態で、前記耐圧容器に充満させた可燃ガスに着火して圧縮ガスを発生させることにより、前記耐圧容器から発生した圧縮ガスを前記Ｕ字管内の用水とともに前記噴出ノズルから放出させるようにしたことを特徴とするものである。
【０００８】
本考案のガス爆発式散水機において、前記噴出ノズルは、前記Ｕ字管の他端に蛇腹管を介して取り付けられていることをも特徴とするものである。
【０００９】
本考案のガス爆発式散水機において、前記噴出ノズルは、放出口に取り付けた放出口調整手段により、種々の散水形状を得られるようにしたことをも特徴とするものである。
【００１０】
本考案のガス爆発式散水機において、前記タイマもしくは給水ポンプは、ソーラー発電機により給電されて駆動可能となっていることをも特徴とするものである。
【００１１】
本考案のガス爆発式散水機において、前記耐圧容器の適所に着火プラグが付設されていて可燃ガスを爆発させる圧縮ガス発生手段と、
前記耐圧容器に可燃ガスを供給するガスボンベと、
前記着火プラグの着火の時期と、前記ガスボンベからの耐圧容器への可燃ガスの供給の時期とを調整するタイマを構成する部材として、既存の爆音機をリサイクル利用するようにしたことをも特徴とするものである。
【考案の効果】
【００１２】
請求項１のガス爆発式散水機は、一端をガス爆発用の耐圧容器の下部に取り付けた用水を貯留させるためのＵ字管を備え、該Ｕ字管の他端に噴出ノズルを取り付けるとともに、前記Ｕ字管に給水管を介して付設した、給水ポンプを内蔵した貯水タンクとを有し、前記Ｕ字管に給水して用水を貯留させた状態で、前記耐圧容器に充満させた可燃ガスに着火して圧縮ガスを発生させることにより、前記耐圧容器から発生した圧縮ガスを前記Ｕ字管内の用水とともに前記噴出ノズルから放出させるようにしたものである。
したがって非常に機構が単純であり、また噴水の高さ等の調整が容易なガス爆発式散水機を提供することができる。
【００１３】
請求項２のガス爆発式散水機は、前記噴出ノズルを、前記Ｕ字管の他端に蛇腹管を介して取り付けたものであり、前記噴出ノズルを任意の向きに傾けることが可能となった。
【００１４】
請求項３のガス爆発式散水機は、前記噴出ノズルを、放出口に取り付けた放出口調整手段により、種々の散水形状を得られるようにしたものであり、各種の用途に応じて適宜の散水形状を得ることが可能なガス爆発式散水機を提供することができる。
【００１５】
請求項４のガス爆発式散水機は、前記タイマおよび給水ポンプを、ソーラー発電機により給電されて駆動可能としたものであり、へき地や電源のない場所等においても難なく利用することが可能なガス爆発式散水機を提供することができる。
【００１６】
請求項５のガス爆発式散水機は、前記耐圧容器の適所に着火プラグが付設されていて可燃ガスを爆発させる圧縮ガス発生手段と、
前記耐圧容器に可燃ガスを供給するガスボンベと、
前記着火プラグの着火の時期と、前記ガスボンベからの耐圧容器への可燃ガスの供給の時期とを調整するタイマを構成する部材として、既存の爆音機をリサイクル利用するようにしたものであり、非常に低コストでかつ新規なガス爆発式散水機を提供することができる。
【図面の簡単な説明】
【００１７】
【図１】本考案のガス爆発式散水機を概説する説明図である。
【図２】従来の爆音機を概説する説明図である。
【考案を実施するための形態】
【００１８】
以下、好ましい考案の一実施形態につき、図面を参照しながら概説する。
本考案のガス爆発式散水機１１は、耐圧容器１３の適所に着火プラグ１４が付設されていて可燃ガスを爆発させる圧縮ガス発生手段１２と、前記耐圧容器１３に可燃ガスを供給するガスボンベ１５と、前記着火プラグ１４の着火の時期と、前記ガスボンベ１５からの耐圧容器１３への可燃ガスの供給の時期とを調整するタイマ１６とを備えている。
ちなみに、前記着火プラグ１４の着火やタイマ１６の起動には乾電池を使用することができるが、後述のソーラー発電機２５ａ，２５ｂをこれらの起動に利用してもよい。
したがって、前記ガスボンベ１５から前記耐圧容器１３にガス管１７を介して可燃ガスを供給するとともに、前記着火プラグ１４を着火させて可燃ガスを爆発させ、圧縮ガスを発生させることができる。
【００１９】
なおこのようなガス爆発式散水機１１において、前記耐圧容器１３の適所に着火プラグ１４が付設されていて可燃ガスを爆発させる圧縮ガス発生手段と、前記耐圧容器１３に可燃ガスを供給するガスボンベ１５と、前記着火プラグ１４の着火の時期と、前記ガスボンベ１５からの耐圧容器１３への可燃ガスの供給の時期とを調整するタイマ１６を構成する部材として、既存の爆音機をリサイクル利用することができ、非常に低コストでかつ新規なガス爆発式散水機１１を提供することができる。
【００２０】
本考案のガス爆発式散水機１１はさらに、一端を前記耐圧容器１３の下部に取り付けた用水を貯留させるためのＵ字管２１と、前記Ｕ字管２１の他端に取り付けた噴出ノズル２２と、前記Ｕ字管２１に給水管２４を介して付設した、給水ポンプ２５を内蔵した貯水タンク２３とを有している。２５ａ，２５ｂは前記給水ポンプ２５を駆動させるために連結したソーラー発電機である。
したがって、前記Ｕ字管２１に給水して用水を貯留させた状態で、前記耐圧容器１３に充満させた可燃ガスに着火して圧縮ガスを発生させれば、前記耐圧容器１３から発生した圧縮ガスを前記Ｕ字管２１内の用水とともに前記噴出ノズル２２から放出させることができる。
したがって非常に機構が単純であり、また噴水の高さ等の調整が容易なガス爆発式散水機１１を提供することができる。
【００２１】
本考案のガス爆発式散水機１１において前記噴出ノズル２２は、前記Ｕ字管２１の他端に蛇腹管２６を介して取り付けられている。このようにすれば、前記噴出ノズル２２を任意の向きに傾けることが可能であり、多様な用途に利用することができるようになった。
図１において、２７は前記Ｕ字管２１の下端に設けたドレーン、２８はソーラー発電機２５ｂに付設したバッテリである。
【００２２】
本考案のガス爆発式散水機１１において前記噴出ノズル２２は、その放出口２２ａに取り付けた格子や多孔板等からなる放出口調整手段により、種々の散水形状を得られるようにすることができる。
すなわち、各種の用途に応じて適宜を散水形状や高さを容易に得ることが可能となった。
【００２３】
本考案のガス爆発式散水機１１において前記タイマ１６もしくは給水ポンプ２５は、ソーラー発電機２５ａ，２５ｂにより給電されて駆動可能となっている。
したがって、へき地や電源のない場所等においても難なく利用することが可能なガス爆発式散水機１１を提供することができる。
【産業上の利用可能性】
【００２４】
本考案のガス爆発式散水機によれば、爆発によって水を押し出すことにより霧状の散水が得られるとともに、管に入っている水がサイレンサーの役割となり、これまでの甲高い爆発音では無く、こもったようなソフトな感じの音の出るガス爆発式散水機が提供可能である。
したがって、畑で使用すれば鳥獣対策となることはもちろん、散水の役割もはたすことが可能となった。
【００２５】
また夏季の高温時に散水を行う場合、しっかりした安全管理を行って水遊び公園やプール等、水で濡れることが前提である場所で使用すれば、見ていても楽しいし涼も取れる。そんなニーズに対応可能である。
【００２６】
さらにスポーツ中継を観ていて選手が入場する場面で大きな火柱を出す演出があった。このような演出は消防法等の規制によりスタジアムに関わらず日本国内では無理であるが、水を噴霧するのであれば問題は無いため、真夏の屋外スポーツ会場や祭典で役に立てることができる。
また、夜間であればライトアップを行うことにより様々な色彩を付することができ、熱帯夜を涼しくする効果もある。
【符号の説明】
【００２７】
１１  ガス爆発式散水機
１２  圧縮ガス発生手段
１３  耐圧容器
１４  着火プラグ
１５  ガスボンベ
１６  タイマ
１７  ガス管
２１  Ｕ字管
２２  噴出ノズル
２２ａ  放出口
２３  貯水タンク
２４  給水管
２５  給水ポンプ
２５ａ，２５ｂ  ソーラー発電機
２６  蛇腹管
２７  ドレーン
２８  バッテリ
１０１  ボンベ
１０２  管
１０３  着火プラグ
１０４  タイマ
１０５  放出管
【図１】
0003221468.tif 000003
【図２】
0003221468.tif 000004